(57)【要約】【課題】荷重に対して強い梱包箱を提供すること。【解決手段】梱包箱は、綾線を介して接続された４つの側面と、底面と、前記４つの側面のうちの少なくとも１つである特定側面に、前記底面側において接続し、少なくとも一部が前記特定側面の裏側に折り返された第１折り返し部と、前記特定側面に、前記底面側とは反対側において接続する天板部と、前記天板部に、前記特定側面とは反対側において接続し、前記天板部の裏側に折り返された第２折り返し部と、前記第１折り返し部のうち、前記天板側の端面に設けられた凹及び/又は凸である第１凹凸と、前記第２折り返し部のうち、前記特定側面側の端面に設けられた凹及び／又は凸である第２凹凸と、を備える。前記第１凹凸と前記第２凹凸とは噛み合わされている。【選択図】 図１
2017193359.tif 000002
【特許請求の範囲】
【請求項１】
綾線を介して接続された４つの側面と、
底面と、
前記４つの側面のうちの少なくとも１つである特定側面に、前記底面側において接続し、少なくとも一部が前記特定側面の裏側に折り返された第１折り返し部と、
前記特定側面に、前記底面側とは反対側において接続する天板部と、
前記天板部に、前記特定側面とは反対側において接続し、前記天板部の裏側に折り返された第２折り返し部と、
前記第１折り返し部のうち、前記天板の側の端面に設けられた凹及び/又は凸である第１凹凸と、
前記第２折り返し部のうち、前記特定側面の側の端面に設けられた凹及び／又は凸である第２凹凸と、
を備え、
前記第１凹凸と前記第２凹凸とが噛み合わされた梱包箱。
【請求項２】
請求項１に記載の梱包箱であって、
前記第１折り返し部は、
前記特定側面に接続し、前記底面に平行な底面部分と、
前記底面部分に、前記特定側面とは反対側において接続し、前記特定側面の裏側に折り返された折り返し部分と、を備え、
前記底面部分と前記折り返し部分とが成す角度は鋭角である梱包箱。
【請求項３】
請求項１又は２に記載の梱包箱であって、
前記特定側面に隣接する一対の側面の少なくとも一方に天板フラップが接続され、
前記天板フラップに、前記第２折り返し部を差し込み可能な孔が設けられている梱包箱。
【請求項４】
請求項３に記載の梱包箱であって、
前記天板部は、前記天板フラップに外側から当接する梱包箱。 
【請求項５】
請求項１又は２に記載の梱包箱であって、
前記特定側面に隣接する一対の側面に、それぞれ、第１天板フラップ及び第２天板フラップが接続され、
前記第１天板フラップと前記第２天板フラップとの間に隙間が存在し、
前記第２折り返し部は、幅が前記隙間の幅より大きい幅広部と、幅が前記隙間の幅以下であって、前記幅広部と前記天板部との間に位置する根元部と、
を備える梱包箱。
【発明の詳細な説明】
【技術分野】
【０００１】
本発明は梱包箱に関する。
【背景技術】
【０００２】
従来、ダンボール箱等の梱包箱は様々な用途に用いられている。梱包箱を開示する文献として、例えば、特許文献１がある。
【先行技術文献】
【特許文献】
【０００３】
【特許文献１】特開２０１５−１１３１４５号公報
【発明の概要】
【発明が解決しようとする課題】
【０００４】
梱包箱を使用するとき、上下方向の荷重がかかることがある。梱包箱には、上下方向の荷重がかかった場合でも変形しにくいことが求められる。本開示の一局面は、こうした問題に鑑みてなされたものであり、荷重に対して強い梱包箱を提供することを目的としている。
【課題を解決するための手段】
【０００５】
本開示の梱包箱は、綾線を介して接続された４つの側面と、底面と、前記４つの側面のうちの少なくとも１つである特定側面に、前記底面側において接続し、少なくとも一部が前記特定側面の裏側に折り返された第１折り返し部と、前記特定側面に、前記底面側とは反対側において接続する天板部と、前記天板部に、前記特定側面とは反対側において接続し、前記天板部の裏側に折り返された第２折り返し部と、前記第１折り返し部のうち、前記天板側の端面に設けられた凹及び/又は凸である第１凹凸と、前記第２折り返し部のうち、前記特定側面側の端面に設けられた凹及び／又は凸である第２凹凸と、を備え、前記第１凹凸と前記第２凹凸とが噛み合わされている。本開示の梱包箱は、第１折り返し部を備えることにより、上下方向の荷重に強い。
【図面の簡単な説明】
【０００６】
【図１】梱包箱１の展開図である。
【図２】梱包箱１を組み立てる工程を表す説明図である。
【図３】梱包箱１を組み立てる工程を表す説明図である。
【図４】梱包箱１を組み立てる工程を表す説明図である。
【図５】梱包箱１の構成を表す説明図である。
【図６】第１折り返し部３３の別形態を表す説明図である。
【図７】第１折り返し部３３の別形態を表す説明図である。
【図８】第１折り返し部３３及び第２折り返し部５１の別形態を表す説明図である。
【図９】第２折り返し部５１と、その周囲の構成を表す説明図である。
【図１０】第２折り返し部５１を梱包箱１の内部に折り曲げた状態を表す説明図である。
【発明を実施するための形態】
【０００７】
本開示の実施形態を図面に基づき説明する。
＜第１実施形態＞
１．梱包箱１の構成
梱包箱１の構成を図１〜図５、９、１０に基づき説明する。梱包箱１は段ボール箱である。図１に示すように、梱包箱１は、４つの側面３、５、７、９を備える。側面３、７の幅は、側面５、９の幅より小さい。側面３と側面５とは、綾線１１を介して接続している。側面５と側面７とは、綾線１３を介して接続している。側面７と側面９とは、綾線１５を介して接続している。側面３、７は、特定側面に対応する。側面５、９は、特定側面に隣接する一対の側面に対応する。
【０００８】
梱包箱１は、さらに、糊しろ１９を備える。糊しろ１９は、綾線１７を介して、側面９に接続している。綾線１７は、側面９から見て、綾線１５とは反対側にある綾線である。糊しろ１９は、梱包箱１を組み立てたとき、側面３のうち、綾線１１とは反対側にある接着部２１に接着される。
【０００９】
梱包箱１は、さらに、底面フラップ２５、２９を備える。底面フラップ２５は、綾線２３を介して、側面５に接続している。底面フラップ２９は、綾線２７を介して、側面９に接続している。底面フラップ２５、２９は、梱包箱１を組み立てたとき、底面になる。
【００１０】
梱包箱１は、さらに、第１折り返し部３３を備える。第１折り返し部３３は、綾線３１を介して、側面３に接続している。梱包箱１を展開した状態において、第１折り返し部３３の基本的な形状は矩形である。綾線３１は、側面３から見て、底面側にある綾線である。
【００１１】
第１折り返し部３３は、さらに、底面部分３５と、折り返し部分３７とを備える。底面部分３５は、綾線３１を介して側面３と接続する。底面部分３５の形状は矩形である。折り返し部分３７は、綾線３９を介して底面部分３５と接続する。綾線３９は、底面部分３５から見て、側面３とは反対側にある綾線である。綾線３９と綾線３１とは平行である。折り返し部分３７の基本的な形状は矩形である。ただし、折り返し部分３７のうち、綾線３９とは反対側の端面には、凹４１と凸４３とが形成されている。凹４１は、その両側又は片側に比べて、綾線３９の方向に落ち込んでいる形状である。凸４３は、その両側又は片側に比べて、綾線３９とは反対方向に突出している形状である。凹４１と凸４３とは第１凹凸に対応する。側面７にも、側面３の場合と同様に、第１折り返し部３３が接続している。
【００１２】
梱包箱１は、さらに、天板部４７と、第２折り返し部５１とを備える。天板部４７は、綾線４５を介して、側面３に接続している。綾線４５は、側面３から見て、底面側とは反対側にある綾線である。
【００１３】
第２折り返し部５１は、綾線４９を介して、天板部４７に接続している。綾線４９は、天板部４７から見て、側面３とは反対側にある綾線である。綾線４９と綾線４５とは平行である。第２折り返し部５１の幅は、天板部４７及び側面３よりも狭い。第２折り返し部５１の基本的な形状は矩形である。ただし、第２折り返し部５１は、綾線４９とは反対側の端部に凹５３と凸５５とを備える。凹５３は、その両側又は片側に比べて、綾線４９の方向に落ち込んでいる形状である。凸５５は、その両側又は片側に比べて、綾線４９とは反対方向に突出している形状である。凹５３と凸５５とは第２凹凸に対応する。側面７にも、側面３の場合と同様に、天板部４７及び第２折り返し部５１が接続している。
【００１４】
図１、図９に示すように、第２折り返し部５１は、幅広部６０と、根元部６２と、を備える。幅広部６０は、第２折り返し部５１のうち、根元部６２を除く部分である。幅広部６０の幅Ｗ３は、後述する隙間６５の幅より大きい。幅Ｗ３とは、綾線４９と平行な方向での、幅広部６０の長さである。また、ここでいう隙間６５の幅とは、綾線４９と平行な方向での、隙間６５の幅である。
【００１５】
根元部６２は、幅広部６０と天板部４７との間に位置する。根元部６２の幅Ｗ４は、隙間６５の幅以下である。幅Ｗ３とは、綾線４９と平行な方向での、根元部６２の長さである。
【００１６】
根元部６２と幅広部６０との間には綾線６４が設けられている。綾線６４は綾線４９と平行である。
梱包箱１は、さらに、天板フラップ５９を備える。天板フラップ５９は、綾線５７を介して、側面５に接続している。綾線５７は、側面５から見て、底面とは反対側にある綾線である。天板フラップ５９のうち、図１における左右両端にある端部領域６１での幅Ｗ１は、天板フラップ５９の中央にある中央領域６３での幅Ｗ２に比べて、大きい。側面９にも、側面５の場合と同様に、天板フラップ５９が接続している。側面５、９のうちの一方の天板フラップ５９が第１天板フラップに対応し、他方の天板フラップ５９が第２天板フラップに対応する。
【００１７】
梱包箱１を組み立てる方法を説明する。まず、糊しろ１９を接着部２１に接着することで、図２のステップ１に示すように、側面３、５、７、９から成る矩形の枠を形成する。次に、図２におけるステップ２に示すように、天板フラップ５９を、側面５、９と直交するように内側に折り曲げ、天板を形成する。このとき、側面５側の端部領域６１と、側面９側の端部領域６１との間には隙間は生じない。側面５側の中央領域６３と、側面９側の中央領域６３との間には隙間６５が生じる。隙間６５は、第２折り返し部５１を差し込み可能な孔に対応する。
【００１８】
次に、図２のステップ３、ステップ４に示すように、天板部４７を、側面３、７と直交するように内側に折り曲げる。このとき、天板部４７は、天板フラップ５９のうち、端部領域６１に外側から当接する。また、第２折り返し部５１を、天板部４７に対して内側に折り曲げる。さらに、第２折り返し部５１を、綾線６４において折り曲げる。このとき、図９、図１０に示すように、第２折り返し部５１のうち、幅広部６０は、隙間６５を通り、梱包箱１の内部に差し込まれる。第２折り返し部５１のうち、根元部６２は、端部領域６１の端面であって、隙間６５に臨んでいる端面に当接する。上述したように、幅広部６０の幅Ｗ３は、隙間６５の幅より大きいため、隙間６５から抜けにくい。すなわち、第２折り返し部５１は、仮止めされた状態となる。なお、図９、図１０では、梱包箱１の一部の構成を省略している。
【００１９】
次に、図３のステップ５に示すように、梱包箱１を上下反転させる。次に、図３のステップ６、ステップ７に示すように、第１折り返し部３３を、内側に折り曲げる。このときの第１折り返し部３３及び第２折り返し部５１の動きを図４に示す。なお、図４と図３とでは、梱包箱１の上下が反転している。
【００２０】
第１折り返し部３３のうち、底面部分３５は、底面フラップ２５、２９と平行になる。なお、図４に示す底面フラップ２５、２９は、閉じられた状態にある。折り返し部分３７は、その先端が側面３、７に接するまで、側面３、７の裏側に折り返される。第１折り返し部３３の凹４１及び凸４３は、綾線４５の近傍に達する。すなわち、凹４１及び凸４３は、第１折り返し部３３のうち、天板４７の側に位置する。底面部分３５と折り返し部分３７とが成す角度は鋭角となる。
【００２１】
折り返し部分３７は、上記のように折り返されるとき、第２折り返し部５１と当接し、第２折り返し部５１を誘導する。この誘導により、第２折り返し部５１は、天板部４７の裏側に折り返される。折り返しの結果、第２折り返し部５１のうち、幅広部６０は、天板部４７とほぼ平行になる。根元部６２は、端部領域６１の端面であって、隙間６５に臨んでいる端面に当接する。第２折り返し部５１の凹５３及び凸５５は、綾線４５の近傍に達する。すなわち、凹５３及び凸５５は、第２折り返し部５１のうち、側面３、７の側に位置する。
【００２２】
第１折り返し部３３の先端と、第２折り返し部５１の先端とは、綾線４５の近傍で交差する。第１折り返し部３３と第２折り返し部５１とが成す角度は９０度より若干小さい角度である。凸４３は、凹５３に差し込まれる。また、凸５５は、凹４１に差し込まれる。すなわち、第１折り返し部３３側の凹４１及び凸４３と、第２折り返し部５１側の凹５３及び凸５５とは、噛み合わされる。このときの状態を図５に示す。なお、図５では、側面９、底面フラップ２９等、一部の構成を省略している。
【００２３】
２．梱包箱１が奏する効果
（１Ａ）梱包箱１は、第１折り返し部３３を備えることにより、上下方向の荷重に強い。
【００２４】
（１Ｂ）第１折り返し部３３側の凹４１及び凸４３と、第２折り返し部５１側の凹５３及び凸５５とは、噛み合わされている。そのため、第１折り返し部３３及び第２折り返し部５１の位置を維持することができる。
【００２５】
（１Ｃ）底面部分３５と折り返し部分３７とが成す角度は鋭角である。そのため、天板部４７に下向きの荷重がかかり、その荷重が折り返し部分３７に伝わった場合、折り返し部分３７には、側面３又は側面７の側に倒れようとする力がかかる。そのため、折り返し部分３７が、梱包箱１の中央側に倒れこむことを抑制できる。
【００２６】
（１Ｄ）天板フラップ５９は、隙間６５を生じさせる。よって、第２折り返し部５１を、隙間６５を通して、梱包箱１の内部に差し込むことができる。
（１Ｅ）天板部４７は、天板フラップ５９に外側から当接する。また、天板部４７に接続した第２折り返し部５１は、梱包箱１の内部で第１折り返し部３３と噛み合って固定される。その結果、天板フラップ５９を、閉じた位置に固定することができる。
【００２７】
（１Ｆ）第２折り返し部５１のうち、幅広部６０は、隙間６５を通り、梱包箱１の内部に差し込まれる。幅広部６０の幅Ｗ３は隙間６５の幅より大きいので、梱包箱１の内部に差し込まれた幅広部６０は、隙間６５から抜けにくい。そのことにより、天板部４７、及び天板フラップ５９が開いてしまうことを抑制できる。
【００２８】
また、根元部６２の幅は、隙間６５の幅以下である。そのため、根元部６２を隙間６５に差し込むことが容易である。
さらに、幅広部６０は根元部６２よりも幅が広いので、梱包箱１の内部に差し込まれた幅広部６０を隙間６５から引き抜こうとしても、幅広部６０のうち、根元部６２側の肩の部分が天板フラップ５９に引っかかり、抜けにくい。すなわち、第２折り返し部５１はロックされた状態になる。そのことにより、梱包箱１の内部に差し込まれた幅広部６０は、隙間６５から一層抜けにくい。
＜他の実施形態＞
以上、本開示を実施するための形態について説明したが、本開示は上述の実施形態に限定されることなく、種々変形して実施することができる。
【００２９】
（１）第１折り返し部３３に関する形態は他のものであってもよい。例えば、図６に示すように、底面部分３５と折り返し部分３７とが成す角度が直角であってもよい。また、その角度が鈍角であってもよい。また、図７に示すように、第１折り返し部３３は、底面部分３５を備えていなくてもよい。
【００３０】
（２）凹４１、凸４３、凹５３、凸５５の形状は他のものであってもよい。例えば、図８に示すＰ１〜Ｐ９のいずれかとすることができる。第１折り返し部３３は、凹４１及び凸４３のうちの一方のみを備えていてもよい。また、第２折り返し部５１は、凹５３及び凸５５のうちの一方のみを備えていてもよい。
【００３１】
（３）梱包箱１の材料は、段ボール以外の材料でもよい。例えば、プラスチック、板紙等でもよい。
（４）第２折り返し部５１の幅は一定であってもよい。その幅は、隙間６５の幅以下であってもよいし、同じであってもよいし、隙間６５の幅以上であってもよい。
【００３２】
（５）上記各実施形態における１つの構成要素が有する機能を複数の構成要素に分担させたり、複数の構成要素が有する機能を１つの構成要素に発揮させたりしてもよい。また、上記各実施形態の構成の一部を省略してもよい。また、上記各実施形態の構成の少なくとも一部を、他の上記実施形態の構成に対して付加、置換等してもよい。なお、特許請求の範囲に記載の文言から特定される技術思想に含まれるあらゆる態様が本開示の実施形態である。
【符号の説明】
【００３３】
１…梱包箱、３、５、７、９…側面、１１、１３、１５、１７、２３、２７、３１、３９、４５、４９、５７、６４…綾線、１９…糊しろ、２１…接着部、２５、２９…底面フラップ、３３…第１折り返し部、３５…底面部分、３７…折り返し部分、４１…凹、４３…凸、４７…天板部、５１…第２折り返し部、５３…凹、５５…凸、５９…天板フラップ、６１…端部領域、６３…中央領域、６０…幅広部、６２…根元部、６５…隙間
【図１】
2017193359.tif 000003
【図２】
2017193359.tif 000004
【図３】
2017193359.tif 000005
【図４】
2017193359.tif 000006
【図５】
2017193359.tif 000007
【図６】
2017193359.tif 000008
【図７】
2017193359.tif 000009
【図８】
2017193359.tif 000010
【図９】
2017193359.tif 000011
【図１０】
2017193359.tif 000012